(57)【要約】【課題】  ユーザが、最終印刷物の全体イメージを把握しつつ、その記載内容の確認を可能とする印刷プレビューシステムを提供する。【解決手段】  印刷プレビューシステムは、印刷情報に基づく印刷イメージを縮小したレイアウトイメージを、ディスプレイの第１ウィンドウに表示するレイアウト表示手段と、ユーザ操作によりレイアウトイメージの行位置を特定し、その行位置に対応する前記印刷情報の内容を第２ウィンドウに表示する文字表示手段とを備える。    【選択図】  図３
2005044138.tif 000002
【特許請求の範囲】
【請求項１】
印刷イメージを縮小してディスプレイに表示する印刷プレビューシステムであって、
印刷イメージを定義する為の情報であり、かつ、印刷イメージの行位置と対応付けられている文字コードを含む印刷情報を記憶する印刷情報記憶手段と、
前記印刷情報に基づく印刷イメージを縮小したレイアウトイメージを、前記ディスプレイの第１ウィンドウに表示するレイアウト表示手段と、
ユーザ操作に基づいて、前記レイアウト表示手段によって表示されている前記レイアウトイメージの行位置を特定する行位置取得手段と、
前記取得した行位置に対応する前記印刷情報の文字コードに基づいた文字を、第２ウィンドウに表示する文字表示手段と
を備えることを特徴とする印刷プレビューシステム。
【請求項２】
前記文字表示手段は、前記レイアウトイメージの前記取得した行位置に表示されている文字よりも大きいサイズの文字を前記第２ウィンドウに表示する
ことを特徴とする請求項１記載の印刷プレビューシステム。
【請求項３】
前記印刷情報は、前記印刷イメージの行位置と対応付けられている図表の表示データを含み、
前記文字表示手段は、前記レイアウトイメージの前記取得した行位置に表示されている前記図表の情報を前記第２ウィンドウに表示する
ことを特徴とする請求項１記載の印刷プレビューシステム。
【請求項４】
前記印刷情報記憶手段は、複数の印刷情報を記憶しており、
前記印刷プレビューシステムは更に、ユーザ操作により前記印刷情報を特定する手段を備え、
前記レイアウト表示手段は、前記特定された印刷情報に基づく印刷イメージを縮小したレイアウトイメージを表示する
ことを特徴とする請求項１〜３のいずれか１項に記載の印刷プレビューシステム。
【請求項５】
前記印刷プレビューシステムは更に、
前記印刷情報を印刷したときの形態に関する情報を表示する印刷形態表示手段
を備えることを特徴とする請求項１に記載の印刷プレビューシステム。
【請求項６】
前記印刷プレビューシステムは更に、
前記文字表示手段によって第２ウィンドウに表示されている文字の印刷時の文字属性の情報を表示する文字属性表示手段
を備えることを特徴とする請求項１記載の印刷プレビューシステム。
【請求項７】
前記印刷プレビューシステムは更に、前記レイアウト表示手段によって第１ウィンドウに表示されている図表の情報を表示する図表情報表示手段
を備えることを特徴とする請求項１記載の印刷プレビューシステム。
【請求項８】
前記第１ウィンドウにはユーザ操作に応じてカーソルが表示され、
前記行位置取得手段は、第１ウィンドウのカーソル位置を基に前記レイアウトイメージの行位置を取得する
ことを特徴とする請求項１記載の印刷プレビューシステム。
【請求項９】
前記レイアウト表示手段は、第２ウィンドウに表示されている文字列に対応する前記第１ウィンドウに表示されているレイアウトイメージの文字列のみを、あらかじめ定められた形態で表示する
ことを特徴とする請求項１記載の印刷プレビューシステム。
【請求項１０】
前記レイアウト表示手段は、第２ウィンドウに表示されている文字列に対応する前記第１ウィンドウに表示されているレイアウトイメージの図表のみを、あらかじめ定められた形態で表示する
ことを特徴とする請求項１記載の印刷プレビューシステム。
【請求項１１】
前記第２ウィンドウは、前記ディスプレイにおいて前記第１ウィンドウと重ならない位置に存在する
ことを特徴とする請求項１記載の印刷プレビューシステム。
【請求項１２】
前記ディスプレイは、携帯端末のディスプレイである
ことを特徴とする請求項１〜１１のいずれか１項に記載の印刷プレビューシステム。
【請求項１３】
前記印刷プレビューシステムは更に、前記印刷情報を印刷する印刷装置を備え、
前記ディスプレイは印刷装置のディスプレイである
ことを特徴とする請求項１記載の印刷プレビューシステム。
【請求項１４】
前記印刷プレビューシステムは更に、
前記印刷情報を外部から取得して、前記印刷情報記憶手段に格納する受信手段を
備えることを特徴とする請求項１〜１３のいずれか１項に記載の印刷プレビューシステム。
【請求項１５】
前記受信手段は、前記印刷情報を含む地上波デジタル放送を受信する
ことを特徴とする請求項１４に記載の印刷プレビューシステム。
【請求項１６】
印刷イメージをディスプレイに表示する印刷プレビュー方法であって、
前記印刷イメージの行位置と対応付けられている文字コードを含む印刷情報を記憶する印刷情報記憶ステップと、
前記印刷情報に基づく印刷イメージを縮小したレイアウトイメージを、前記ディスプレイの第１ウィンドウに表示するレイアウト表示ステップと、
ユーザ操作により取得した位置を基に、前記レイアウト表示ステップによって表示されている前記レイアウトイメージの行位置を特定する行位置取得ステップと、
前記取得した行位置に対応する前記印刷情報の文字コードに基づいた文字を、前記第１ウィンドウ以外の第２ウィンドウに表示する文字表示ステップと
を含むことを特徴とする印刷プレビュー方法。
【請求項１７】
印刷イメージをディスプレイに表示する印刷プレビュー処理をＣＰＵに行わせるためのコンピュータプログラムであって、
前記印刷プレビュー処理は、
前記印刷イメージの行位置と対応付けられている文字コードを含む印刷情報を記憶する印刷情報記憶ステップと、
前記印刷情報に基づく印刷イメージを縮小したレイアウトイメージを、前記ディスプレイの第１ウィンドウに表示するレイアウト表示ステップと、
ユーザ操作により取得した位置を基に、前記レイアウト表示ステップによって表示されている前記レイアウトイメージの行位置を特定する行位置取得ステップと、
前記取得した行位置に対応する前記印刷情報の文字コードに基づいた文字を、前記第１ウィンドウ以外の第２ウィンドウに表示する文字表示ステップと
を含むことを特徴とするコンピュータプログラム。
【発明の詳細な説明】
【技術分野】
【０００１】
本発明は、印刷プレビューシステムに関する。
【背景技術】
【０００２】
現在、衛星デジタル放送で、映像音声データの送信とは別に、文字データ等のデータを送信するデータ放送が行われている。このデータ放送によって送信されるデータは、受信端末によって受信され、受信端末により解釈され、専用ブラウザに表示されることにより視聴される。
【０００３】
特許文献１では、このデータ放送において印刷用の情報（以下、「印刷情報」と言う。）を送信し、受信端末側で送られてきた印刷情報を解釈し、印刷する技術が提案されている（特許文献１参照）。
【０００４】
ここで、近い将来、地上波デジタル放送の開始が予定されており、携帯電話やＰＤＡ等の携帯端末向けの放送も予定されている。
【０００５】
とすれば、地上波デジタル放送においても、データ放送が行われて印刷情報が送信されると考えられ、携帯端末がデータ放送を受信し印刷情報を保存しておき、必要な時に印刷することが想定される。
【０００６】
携帯端末は、そのメモリ等の資源が限られている為、不必要な印刷情報は削除しておくことが好ましく、また、印刷する場合には、紙等の資源や印刷する時間を考慮すると、印刷前にその最終印刷物の全体イメージとその内容を確認し、印刷することが望ましい。
【特許文献１】特開２００２−１５８９７９
【発明の開示】
【発明が解決しようとする課題】
【０００７】
しかし、携帯端末のディスプレイ画面は小さく、また、解像度が低いため、最終印刷物の全体イメージを表示すると、印刷物に書いてある文字が読めない場合や、表示されている写真や図表等が何を表しているのか分からない場合がある。また、文字が読めるように拡大すると、ディスプレイに一度に表示される１行内の文字が少なくなり、内容を把握するのが難しくなる。また、さらに文章だけを表示すると、印刷物の全体イメージが分からないという不都合がある。
【０００８】
そこで、本発明は、最終印刷物の全体イメージを把握しつつ、その記載内容の確認を可能とする印刷プレビューシステムの提供を目的とする。
【課題を解決するための手段】
【０００９】
上記課題を解決する為に、本発明の印刷プレビューシステムは、印刷イメージを縮小してディスプレイに表示する印刷プレビューシステムであって、印刷イメージを定義する為の情報であり、かつ、印刷イメージの行位置と対応付けられている文字コードを含む印刷情報を記憶する印刷情報記憶手段と、前記印刷情報に基づく印刷イメージを縮小したレイアウトイメージを、前記ディスプレイの第１ウィンドウに表示するレイアウト表示手段と、ユーザ操作に基づいて、前記レイアウト表示手段によって表示されている前記レイアウトイメージの行位置を特定する行位置取得手段と、前記取得した行位置に対応する前記印刷情報の文字コードに基づいた文字を、第２ウィンドウに表示する文字表示手段とを備えることを特徴とする。
【発明の効果】
【００１０】
これにより、印刷物の全体が表示されると共に、指定した行の内容や指定した図表の説明が表示されるので、プレビュー表示している印刷物の全体像とその内容を簡便に知ることができ、表示されている印刷物を印刷するか否かの判断が容易且つ迅速にできるようになる。
【００１１】
また、前記文字表示手段は、前記レイアウトイメージの前記取得した行位置に表示されている文字よりも大きいサイズの文字を前記第２ウィンドウに表示することとしてもよい。
【００１２】
これにより、印刷物全体を表示している場合には、印刷物に書いてある文字が小さく読めない場合であっても、指定した行に書いてある文字は大きく表示されるので、印刷物に書いてある内容を容易に知ることができるようになる。
【００１３】
また、前記印刷情報は、前記印刷イメージの行位置と対応付けられている図表の表示データを含み、前記文字表示手段は、前記レイアウトイメージの前記取得した行位置に表示されている前記図表の情報を前記第２ウィンドウに表示することとしてもよい。
【００１４】
これにより、印刷物全体を表示している場合には、印刷物の図表が小さく表示されていて、何についての図表であるか解らない場合であっても、指定した図表の説明が表示されるので、印刷物の内容を容易に知ることができるようになる。
【００１５】
また、前記印刷情報記憶手段は、複数の印刷情報を記憶しており、前記印刷プレビューシステムは更に、ユーザ操作により前記印刷情報を特定する手段を備え、前記レイアウト表示手段は、前記特定された印刷情報に基づく印刷イメージを縮小したレイアウトイメージを表示することとしてもよい。
【００１６】
これにより、複数の印刷情報を、ユーザ操作によって順次プレビュー表示することができるようになったり、複数の印刷情報のなかから、ユーザ操作によって目的の印刷情報を特定してプレビュー表示することができるようになるので、複数の印刷情報の中から印刷したい印刷情報を、迅速に選択することができるようになる。
【００１７】
また、前記印刷プレビューシステムは更に、前記印刷情報を印刷したときの形態に関する情報を表示する印刷形態表示手段を備えることを特徴とすることとしてもよい。
【００１８】
さらに、前記印刷プレビューシステムは更に、前記文字表示手段によって第２ウィンドウに表示されている文字の印刷時の文字属性の情報を表示する文字属性表示手段を備えることを特徴とすることとしてもよい。
【００１９】
またさらに、前記印刷プレビューシステムは更に、前記レイアウト表示手段によって第１ウィンドウに表示されている図表の情報を表示する図表情報表示手段を備えることを特徴とすることとしてもよい。
【００２０】
これにより、印刷物の印刷形態、印刷された時の文字属性、印刷物に表示されている図表の情報が表示されるようになるので、印刷プレビューで表示されている印刷情報が印刷するべき印刷情報であるかの判断が、実際に印刷することなしに、できるようになる。
【００２１】
また、前記第１ウィンドウにはユーザ操作に応じてカーソルが表示され、前記行位置取得手段は、第１ウィンドウのカーソル位置を基に前記レイアウトイメージの行位置を取得することを特徴とすることとしてもよい。
【００２２】
これにより、カーソル移動という視覚的に視認しやすく且つ簡便な操作で行の内容を表示し確認することができるので、印刷情報の選択が容易に且つ迅速にできるようになる。
【００２３】
また、前記レイアウト表示手段は、第２ウィンドウに表示されている文字列に対応する前記第１ウィンドウに表示されているレイアウトイメージの文字列のみを、あらかじめ定められた形態で表示することを特徴とすることとしてもよい。
【００２４】
さらに、前記レイアウト表示手段は、第２ウィンドウに表示されている文字列に対応する前記第１ウィンドウに表示されているレイアウトイメージの図表のみを、あらかじめ定められた形態で表示することを特徴とすることとしてもよい。
【００２５】
これにより、内容表示ウィンドウに表示されている文字列がレイアウトイメージのどの部分についてのものかを容易に理解することができるので、印刷情報の選択が容易に且つ迅速にできるようになる。
【００２６】
また、前記第２ウィンドウは、前記ディスプレイにおいて前記第１ウィンドウと重ならない位置に存在することを特徴とすることとしてもよい。
【００２７】
これにより、内容表示ウィンドウとレイアウト表示ウィンドウが重なって表示されることがなく、印刷物全体と指定した行の内容とを同時に知ることが出来るようになるので、印刷情報の内容を迅速に知ることができるようになる。
【００２８】
また、前記ディスプレイは、携帯端末のディスプレイであることを特徴とすることとしてもよい。
【００２９】
このことにより、携帯電話機においても印刷情報のプレビュー表示ができ、携帯電話機を使用して印刷情報の内容を確認することができるようになるので、簡便に印刷情報の選別ができるようになる。
【００３０】
また、前記印刷プレビューシステムは更に、前記印刷情報を印刷する印刷装置を備え、前記ディスプレイは印刷装置のディスプレイである  ことを特徴とすることとしてもよい。
【００３１】
このことにより、印刷装置のディスプレイに印刷情報のプレビュー表示ができ、印刷情報の内容を確認できるようになるので、不要な印刷情報を印刷することがなくなる。
【００３２】
また、前記印刷プレビューシステムは更に、前記印刷情報を外部から取得して、前記印刷情報記憶手段に格納する受信手段を備えることを特徴とすることとしてもよい。
【００３３】
さらに、前記受信手段は、前記印刷情報を含む地上波デジタル放送を受信することを特徴とすることとしてもよい。
【００３４】
このことにより、印刷情報を外部から簡単に取得することができ、取得した印刷情報の内容をプレビュー表示できるようになるので、容易且つ迅速に必要な印刷情報のみを選択できるようになる。
【発明を実施するための最良の形態】
【００３５】
＜概要＞
本印刷プレビューシステムは、携帯電話機に搭載されており、地上波デジタル放送におけるデータ放送により送信される印刷情報を受信し、受信した印刷情報をプレビュー表示するものである。
【００３６】
まず、本印刷プレビューシステムの操作方法について、図１と図２を用いて説明する。
【００３７】
図１は、プレビュー画面の構成および表示例の図である。
【００３８】
携帯電話機８０００は、ディスプレイ１６１０を有しており、このディスプレイに印刷物のプレビュー画面が表示される。
【００３９】
プレビュー画面は、２つのウィンドウで構成されている。１つは、画面の中央に位置するレイアウト表示ウィンドウ１６３０であり、もう１つは、画面上部に位置する内容表示ウィンドウ１６２０である。
【００４０】
レイアウト表示ウィンドウ１６３０には、レイアウトイメージが表示されている。レイアウトイメージは、印刷物全体のレイアウトを認識することができるように、印刷物全体のイメージである印刷イメージを縮小したものである。
【００４１】
また、レイアウトイメージ上にはカーソル１６４０が表示されている。例では、そのレイアウトイメージの２行目にカーソル１６４０が表示されている。このカーソルは、ユーザが携帯電話機８０００のキーを操作することにより上下左右に移動する。
【００４２】
内容表示ウィンドウ１６２０には、カーソル１６４０で指示されている文字列が、人が読める大きさの文字で表示されている。カーソル１６４０が移動すると、その移動にあわせて内容表示ウィンドウ１６２０に表示される文字列も変わっていくことになる。
【００４３】
また、内容表示ウィンドウ１６２０に表示される文字のサイズ、フォント及び色は、レイアウトイメージ上の文字の大きさ等にかかわらず、人が読みやすいサイズ、フォント及び色に固定してある。
【００４４】
さらに、内容表示ウィンドウ１６２０に表示されている文字列と、カーソルで指示されている範囲の文字列との内容が一致している。カーソルの大きさは、内容表示ウィンドウ１６２０に表示される文字のサイズ等を固定にしていることから、レイアウトイメージ上に表示されている文字の大きさによって異なることになる。
【００４５】
図２は、プレビュー画面の表示例の図である。
【００４６】
カーソル１６４０が指示しているのは、新製品の写真１６５０である。
【００４７】
内容表示ウィンドウ１６２０に表示されているのは、カーソル１６４０が指示している写真１６５０の説明文である。この例でいうと、写真１６５０のデータはgif形式で作成されており、写真の内容は「新機種の写真」であることになる。
【００４８】
ここで、本印刷プレビューシステムの特徴は、内容表示ウィンドウ１６２０に表示されている文字列が、レイアウトイメージ上のカーソル１６４０で指示されている領域を単に拡大したものではない点にある。
【００４９】
すなわち、そのカーソルで指示されている文字列は単なるピクセルデータとしてではなく、その意味内容を有した文字として捉えられ、写真等の図表はレイアウトイメージのなかの単なる一部分としてではなく、意味を有した図表として捉えられている。レイアウト表示ウィンドウ１６３０上を移動するカーソルは単に一定の領域を切り取るものではなく、行および桁を意識してレイアウトイメージ上の位置を特定するものである。
【００５０】
例えば、実際の印刷物のイメージを縮小したレイアウトイメージ上では、その縮小の割合により実際の印刷物の複数行が１本の線状に見える場合がある。このような場合であっても、ユーザがカーソル移動の指示を行うことにより、画面上のカーソルはほとんど移動しないとしても、すべての行の内容を見ることができる。
【００５１】
またさらに、レイアウト表示ウィンドウ１６３０上を移動するカーソルは、表示している写真等のイメージデータをひとつの固まりと認識して、レイアウトイメージ上の位置を特定するものである。従って、写真等のイメージデータが小さく表示され表示内容が判別できなくても、ユーザがカーソルで指示を行うことにより、その説明を見ることができる。
【００５２】
＜構成＞
以下、本発明の実施形態に係る印刷プレビューシステムについて図３〜図１８を用いて説明する。
【００５３】
図３は、実施形態に係る印刷プレビューシステムの機能ブロック図である。
【００５４】
印刷プレビューシステム１０００は、印刷情報受信部１１００と、印刷情報記憶部１２００と、最終印刷物データ作成部１５００と、行管理データ作成部１７００と、制御部１８００と、画面データ作成部１４００と、ユーザインターフェース部１３００と、画面表示部１６００とで構成される。
【００５５】
印刷情報受信部１１００は、放送局９０００から送信されるデータ放送を受信し、印刷情報を取り出し、印刷情報記憶部１２００に渡す機能を有する。
【００５６】
印刷情報記憶部１２００は、印刷情報受信部１１００から渡された印刷情報を本印刷プレビューシステム内のメモリに保存する機能を有する。また、印刷情報記憶部１２００はメモリに保存してある印刷情報の削除、及び、読み出しの管理を行う機能を有する。印刷情報の削除の処理は、制御部１８００からの指示によって行われる。また、印刷情報の読み出し処理は、最終印刷物データ作成部１５００からの指示によって行われる。制御部１８００及び最終印刷物データ作成部１５００については、後述する。
【００５７】
最終印刷物データ作成部１５００は、印刷情報記憶部１２００から印刷情報を読み出し、読み出した印刷情報を基に印刷物を印刷する為のデータである最終印刷物データを作成し、最終印刷物データ作成部１５００内の作業メモリに保持する機能を有する。
【００５８】
また、作成した最終印刷物データを印刷する為に、作成したデータを印刷装置２０００に送信する機能を有する。作成したデータを送信するのは、制御部１８００からの印刷指示によって行われる。
【００５９】
さらに、最終印刷物データ作成部１５００は、画面データ作成部１４００のレイアウト表示データ作成部１４２０に、作成した最終印刷物データを渡す機能を有する。
【００６０】
ユーザインターフェース部１３００は、上下左右にカーソルを移動させるカーソル移動キー、テンキー等で構成され、ユーザからの操作を受けて、ユーザの指示内容に応じて、操作情報を制御部１８００に通知する機能を有する。操作情報とは、カーソル位置の情報や押下されたキーに割り当てられている機能等をいう。
【００６１】
制御部１８００は、ユーザインターフェース部１３００から受け取った操作情報を解析し、解析結果によって得られたユーザの指示に応じて、該当する処理部に指示を送る機能を有する。本印刷プレビューシステムにおけるユーザの指示は、数々あるが、主なものとして、印刷プレビューシステムの起動指示、カーソル移動の指示、次の印刷情報の表示指示、表示中の印刷情報の削除指示、及び、表示中の印刷情報の印刷指示がある。
【００６２】
印刷プレビューシステムの起動指示があった場合は、その旨をレイアウト表示データ作成部１４２０と内容表示データ作成部１４１０に通知する。カーソル移動の指示があった場合は、カーソルの移動先の位置情報を内容表示データ作成部１４１０に渡す。また、次の印刷情報の表示指示があった場合は、次頁表示指示をレイアウト表示データ作成部１４２０と内容表示データ作成部１４１０に通知する。次の印刷情報の表示指示があった場合と、印刷プレビューシステムの起動指示があった場合とは、ほとんど同じ処理を行う。さらに、表示中の印刷情報の削除指示があった場合は、削除指示を印刷情報記憶部１２００に通知し、表示中の印刷情報の印刷指示があった場合は、印刷指示を最終印刷物データ作成部１５００に通知する。
【００６３】
次に、画面データ作成部１４００について、説明する。
【００６４】
画面データ作成部１４００は、レイアウト表示データ作成部１４２０と、内容表示データ作成部１４１０と、行管理データ記憶部１４４０とで構成され、携帯電話機のディスプレイに表示する画面データを作成し、作成した画面データを画面表示部１６００に渡す機能を有する。画面表示部１６００については、後述する。
【００６５】
レイアウト表示データ作成部１４２０は、２つの機能を有する。１つは、レイアウト表示データそのもの、すなわちカーソルが表示されていないレイアウトイメージのレイアウト表示データを作成する機能であり、もう１つは、作成してあるレイアウト表示データにカーソルの表示を加えたレイアウト表示データを作成する機能である。
【００６６】
また、レイアウト表示データ作成部１４２０は、はじめに作成したレイアウト表示データ、すなわちカーソルの表示されていないレイアウト表示データを、レイアウト表示データ作成部１４２０内の作業メモリに記憶しておく機能を有する。この記憶されているデータは、１つであり、常に現在レイアウト表示ウィンドウに表示されているデータである。
【００６７】
まず、１つ目の機能であるレイアウト表示データそのものを作成する機能について説明する。
【００６８】
制御部１８００から次頁表示指示を受け取ったレイアウト表示データ作成部１４２０は、最終印刷物データ作成部１５００に対し、次に表示する最終印刷物データを要求する。
【００６９】
最終印刷物データ作成部１５００から最終印刷物データを受け取ったレイアウト表示データ作成部１４２０は、受け取った最終印刷物データを基に、ディスプレイのレイアウト表示ウィンドウ１６３０に表示するデータであるレイアウト表示データを作成する。このレイアウト表示データは、最終印刷物データ作成部１５００から渡された最終印刷物データを縮小して、レイアウト表示ウィンドウに印刷物全体が表示されるように作成されたデータである。
【００７０】
次に、２つ目の機能である作成してあるレイアウト表示データにカーソル位置の表示を加えたレイアウト表示データを作成する機能について説明する。
【００７１】
この機能は、内容表示データ作成部１４１０から、カーソル図形のデータを渡された場合に実行されるものである。
【００７２】
内容表示データ作成部１４１０からカーソル座標を受け取ったレイアウト表示データ作成部１４２０は、カーソル図形のデータを作業メモリに記憶してあるレイアウト表示データの上に重ねたデータ、すなわちカーソルが表示されているレイアウト表示データを作成する。作成したレイアウト表示データを画面表示部１６００に渡す。                  
【００７３】
次に、内容表示データ作成部１４１０の機能について説明する。
【００７４】
内容表示データ作成部１４１０は、内容表示ウィンドウ１６２０に表示する内容表示データを作成する機能を有する。制御部１８００からカーソルの位置情報を受け取った内容表示データ作成部１４１０は、行管理データ記憶部１４４０にカーソル位置情報を渡し、カーソル位置から始まる文字列の情報を要求する。カーソル位置からの文字列の情報を受け取った内容表示データ作成部１４１０は、内容表示データを作成する。内容表示データで表示される文字は、文字フォント、文字サイズ、及び、文字色が固定である。すなわち、実際に印刷される文字とは異なる。
【００７５】
行管理データ記憶部１４４０は、行管理データを記憶しておく機能を有する。また、内容表示データ作成部１４１０からの要求に応じて、内容表示データ作成部１４１０から受け取ったカーソル位置情報を基に行データを確定し、行データを内容表示データ作成部に渡す機能を有する。
【００７６】
行管理データとは、レイアウト表示ウィンドウに表示されている印刷物の行とその内容である行データを対応付けているものである。行管理データについては、図６で説明する。
【００７７】
行管理データ作成部１７００は、行管理データを作成し、行管理データ記憶部１４４０に渡す機能を有する。行管理データ作成部１７００は、最終印刷物データ作成部１５００から最終印刷物データを作成する基となった印刷情報等を受け取り、行管理データを作成する。
【００７８】
また、画面表示部１６００は、レイアウト表示データ作成部１４２０から受け取ったレイアウト表示データをレイアウト表示ウィンドウ１６３０に表示し、内容表示データ作成部１４１０から受け取った内容表示データを内容表示ウィンドウ１６２０に表示する機能を有する。
【００７９】
＜データ＞
以下、印刷プレビューシステム１０００が用いる主なデータについて、図４から図７を使用して説明する。
【００８０】
図４は、データ放送で受信する印刷情報の内容例を示す。
【００８１】
印刷情報は、印刷情報記憶部１２００に複数個保存されており、そのうち１つが最終印刷物データ作成部１５００に渡され、最終印刷物データが作成され、結果的にレイアウト表示ウィンドウに表示されることになる。
【００８２】
印刷情報１２１０は、マークアップ言語であるＸＨＴＭＬ−Ｐｒｉｎｔ（eXtensible HyperText Markup Language-Print）で記述されているものとする。ここで、ＸＨＴＭＬ−Ｐｒｉｎｔは、例えばＸＨＴＭＬ−Ｐｒｉｎｔ  Ｗｏｒｋｉｎｇ  ＧｒｏｕｐやＷ３Ｃ（World Wide Web Consortium）でその言語が規定されている。
【００８３】
また、印刷情報１２２０は、印刷文書のスタイルを指定するスタイルシート記述言語であるＣＳＳ（Cascading Style Sheet）形式で記述されているものとする。
【００８４】
ここで、最終印刷物データを作成する場合、ＸＨＴＭＬ−Ｐｒｉｎｔで記述した印刷情報１２１０のみで最終印刷物データは作成できる。しかし、印刷物の構成をより細かく指定したい場合に、ＣＳＳ形式で記述した印刷情報１２２０を付加する。
【００８５】
従って、放送局からデータ放送で送信されてくる印刷情報は、基本的にＸＨＴＭＬ−Ｐｒｉｎｔで記述され、一部にＣＳＳ形式での記述を含んだ印刷情報１２１０である。しかし、場合によっては、更に、ＣＳＳ形式で記述した印刷情報１２２０を、印刷情報１２１０とは別のファイルとして送信されてくる場合や、送信される印刷情報１２１０の中に埋め込んで送信されてくる場合がある。
【００８６】
また、最終印刷物データ作成部１５００において、ＣＳＳ形式で記述した印刷情報１２２０を追加する場合もある。
【００８７】
図５は、最終印刷物のイメージの例である。
【００８８】
印刷イメージ１５１０は、印刷情報１２１０を基に印刷装置で出力した場合の図である。
【００８９】
すなわち、印刷情報１２１０を基に最終印刷物データ作成部１５００が作成した最終印刷物データを印刷したものである。最終印刷物データは、ビットマップ等の形式であり、最終印刷物データ作成部１５００内の作業メモリに記憶してある。記憶してある最終印刷物データは、最新のもの、すなわちレイアウト表示ウィンドウ１６３０に表示中のもののみである。
【００９０】
図６は、行管理データの構成、及びその内容例である。
【００９１】
行管理データは、表示されているレイアウトイメージの行と、その行に表示されている文字等との対応を管理するためのデータである。本データは、行管理データ作成部１７００によって作成され、行管理データ記憶部１４４０に記憶されている。この行管理データ記憶部１４４０に記憶されている行管理データは、現在レイアウト表示ウィンドウ１６３０に表示中のもの１つのみである。
【００９２】
行管理データ５４１０は、行番号５４１１と、行データアドレス５４１２とで構成される。行番号５４１１は、最終印刷物の行の番号であり、行データアドレス５４１２は、行データ５４４０の所在を示すアドレスである。
【００９３】
行データ５４４０は、文字データ５４２０と図データ５４３０とで構成される。
例では、行番号「１」の行データは、２つの文字データ５４２０で構成され、行番号「３」の行データは、文字データ５４２０と図データ５４３０がそれぞれ１つずつで構成されている。
【００９４】
文字データ５４２０と図データ５４３０について説明する前に、図７について説明する。
【００９５】
図７は、レイアウト表示ウィンドウ１６３０の座標系とその例を表す図である。
【００９６】
レイアウト表示ウィンドウの座標は、（０，０）から（１５０，１５０）とする。
例では、最終印刷物の全体が表示される様に、最終印刷物データを縮小して、（０，０）から（１２５，１５０）に表示することとしている。実際の最終印刷物データは、６２５×７５０ドットのビットマップデータであるとする。
【００９７】
まず、図６に示す文字データ５４２０の構成について説明する。
【００９８】
文字データ５４２０は、文字列位置５４２１と、文字数５４２２と、文字属性５４２３と、文字５４２４とで構成される。
【００９９】
文字列位置５４２１は、文字列の左下と右上の座標で表す。この座標は、カーソルを表示する場合に、カーソルの表示位置と大きさを求める時に使用する。
【０１００】
文字数５４２２は、本文字データで表される文字の数を表す。
【０１０１】
文字属性５４２３は、明朝体／ゴシック体等のフォント、斜体、太字等のスタイル、文字のサイズ、文字の色、ピッチ、上付き／下付き等の飾り、傍点、下線等で構成される。
【０１０２】
文字５４２４は、表示する文字列を表す。
【０１０３】
例では、行番号５４１１が「１」、すなわち１行目の文字データは２つある。「ABC Corp.」と、「から新機種発売」である。１行の文字列を２つの文字データで構成しているのは、文字属性５４２３であるフォント及び色が異なるからである。
【０１０４】
次に、図データ５４３０の構成について説明する。
【０１０５】
図データ５４３０は、図位置５４３１と、図属性５４３２と、コメント５４３３とで構成される。
【０１０６】
図位置５４３１は、図の左下と右上の座標で表す。この座標は，カーソルを表示する場合に、カーソルの表示位置と大きさを求める時に使用する。
【０１０７】
図属性５４３２は、データ形式等で構成される。
【０１０８】
コメント５４３３は、図をカーソルで指示された場合に、内容表示ウィンドウ１６２０に表示する説明を表す。
【０１０９】
例では、行番号５４１１が「３」、すなわち３行目の文字データは１つ、図データは１つある。すなわち、行の最初である左側に文字列が表示され、その右側に図が表示されていることを表している。この例の場合、２行目の行データも文字データ１つと、図データ１つを有することになり、この２行目の図データと３行目の図データとは同じものとなる。
【０１１０】
また、仮に図の右側にも文字列が表示されている場合には、行データの構成は、文字データ、図データ、文字データの順に構成されることになる。
【０１１１】
＜動作＞
以下、上述した印刷プレビューシステム１０００の動作について図８〜図１２を用いて説明する。
【０１１２】
本印刷プレビューシステムには、大きく分けて２つの処理がある。
【０１１３】
１つは、印刷情報の保存処理であり、もう１つは、保存されている印刷情報のプレビュー処理である。
【０１１４】
まず、印刷情報の保存処理から説明する。
【０１１５】
＜印刷情報の保存処理＞
放送局９０００から、データ放送として印刷情報１２１０が送信され、印刷情報受信部１１００によって、受信される。
【０１１６】
印刷情報１２１０を受信した印刷情報受信部１１００は、受信したデータ放送のデータ内から印刷情報１２１０を取り出し、印刷情報記憶部１２００に渡す。
【０１１７】
印刷情報１２１０を受け取った印刷情報記憶部１２００は、受け取った印刷情報を本印刷プレビューシステム内のメモリに保存し、印刷情報を管理するためテーブルに登録するなどの処理を行う。
【０１１８】
印刷情報記憶部１２００には、複数の印刷情報が記憶され、管理されているものとする。
【０１１９】
次に、プレビュー処理について説明する。
【０１２０】
＜プレビュー処理＞
図８は、印刷プレビューシステムの処理を示すフローチャートである。
【０１２１】
ユーザが、印刷プレビューシステムに対して出した操作指示は、ユーザインターフェース部１３００を通して制御部１８００に渡り、制御部１８００は受け取ったユーザの操作指示を解釈し、各処理部に指示を出すことで、ユーザの出した指示が実行されていくことになる。
【０１２２】
ユーザの出すことが出来る操作指示は数々あるが、ここでは以下のものについて説明する。
【０１２３】
印刷プレビューシステムの起動指示、カーソルの移動指示、次の印刷情報の表示指示、印刷情報の削除指示、及び、印刷情報の印刷指示である。
【０１２４】
以下、指示ごとに、その処理について説明する。
【０１２５】
＜印刷プレビューシステムの起動指示＞
まず、最初にユーザが印刷プレビューを行う指示を出す。例えば携帯電話のメニューから印刷プレビュー表示のメニュー項目を選択する。このメニュー項目を選択したことを検知したユーザインターフェース部１３００は、その旨を制御部１８００に通知する。
【０１２６】
ユーザインターフェース部１３００からユーザの指示を受け取った制御部１８００は、そのユーザの指示が印刷プレビューシステムを起動する指示であることを判断し（ステップＳ３０１）、レイアウト表示データ作成部１４２０に、印刷情報を表示する旨の指示を行う（ステップＳ３０６）。その指示と同時に、制御部１８００は、内容表示データ作成部１４１０にも内容表示データを表示する指示を行う。
【０１２７】
印刷情報を表示する旨の指示を受け取ったレイアウト表示データ作成部１４２０は、レイアウト表示データを作成する処理を行い、作成したレイアウト表示データを、作業領域に保存する（ステップＳ３０７）。ここで行う処理は、レイアウト表示データ作成部１４２０が有する２つの機能の内の１つであるレイアウト表示データそのものを作成する機能によるものである。レイアウト表示データを作成する処理については、図１１で説明する。
【０１２８】
内容表示データを表示する旨の指示を受け取った内容表示データ作成部１４１０は、内容表示データを作成する処理を行う（ステップＳ３０８）。
【０１２９】
内容表示データを作成する処理は、内容表示データ作成部１４１０に対し、行管理データ記憶部１４４０から、現在処理中の印刷情報の行管理データ５４１０が記憶されたとの通知が在った後に行われる。但し、この通知を待つのは、印刷情報が新しくなった場合のみ、すなわち本システム起動時と、次の印刷情報表示時のみである。
【０１３０】
制御部１８００は、内容表示データ作成部１４１０に内容表示データの表示を指示する際に、カーソル位置の情報を渡す。カーソル位置の情報は、１行目の１文字目とする。
【０１３１】
カーソル位置の情報を受け取った内容表示データ作成部１４１０は、カーソル位置の内容の文字データであるところの内容表示データを作成する。すなわち、カーソル位置が文字列を指している場合には、文字列を表す内容表示データを作成し、カーソル位置が図表を指している場合には、その図表の説明を表す内容表示データを作成する。内容表示データの作成処理については、図９で説明する。
【０１３２】
内容表示データを作成した内容表示データ作成部１４１０は、その内容表示データに対応するレイアウト表示データ上の文字列を囲む矩形の図形データ、または、図表を囲む矩形の図形データを作成する。この矩形は、カーソルを表す。例でいえば、図１の右下の画面に表示されているカーソル１６４０、すなわち１行目を指示しているカーソルの図形データは、（１５，２０）（１１５，１０）となる（図６、図７参照）。
【０１３３】
内容表示データ作成部１４１０は、作成したカーソルの図形データをレイアウト表示データ作成部１４２０に渡す。
【０１３４】
カーソルの図形データを受け取ったレイアウト表示データ作成部１４２０は、作業領域に保存してあるレイアウト表示データにカーソルの図形データを重ね合わせて、カーソル位置の表示を加えたレイアウト表示データを作成する（ステップＳ３０９）。ここで行う処理は、レイアウト表示データ作成部１４２０が有する２つの機能の内の１つであるカーソル位置の表示を加えたレイアウト表示データを作成する機能によるものである。このカーソル表示データを作成する処理については、図１２で説明する。
【０１３５】
レイアウト表示データ作成部１４２０は、カーソルが表示されたレイアウト表示データを画面表示部１６００に渡し、内容表示データ作成部１４１０は、作成した内容表示データを画面表示部１６００に渡す。
【０１３６】
レイアウト表示データと内容表示データとを受け取った画面表示部１６００は、レイアウト表示データをレイアウト表示ウィンドウに、内容表示データは内容表示ウィンドウにそれぞれ表示する（ステップＳ３０５）。
【０１３７】
これで、印刷情報のプレビュー画面が表示される。例でいえば、図１の右下のディスプレイ１６１０のような表示となる。１行目の一文字目からカーソルがあり、カーソルの示す行の内容の文字列「ABC Corp.から新機種発売」が内容表示ウィンドウ１６２０に表示されている。
【０１３８】
次に、レイアウト表示データ作成処理について説明する。この処理は、レイアウト表示データ作成部１４２０が有する２つの機能の内の１つであるレイアウト表示データそのものを作成する機能によるものである。
【０１３９】
図９は、レイアウト表示データ作成処理のフローチャートである。
【０１４０】
制御部１８００から、印刷情報を表示する旨の指示を受けたレイアウト表示データ作成部１４２０は（ステップＳ５０１）、最終印刷物データ作成部１５００に次の印刷情報のデータの作成を依頼する（ステップＳ５０２）。最終印刷物データ作成部１５００の処理については、図１０で説明する。
【０１４１】
最終印刷物データ作成部１５００から、次の印刷情報の最終印刷物データを受け取ったレイアウト表示データ作成部１４２０は、その最終印刷物データがレイアウト表示ウィンドウに表示できるように、縮小する処理を行う（ステップＳ５０３）。  例でいえば、最終印刷物データが６２５×７５０ドットのビットマップであれば、１２５×１５０ドットのビットマップデータに変換して、レイアウト表示データを作成する。この場合、レイアウト表示ウィンドウが１５０×１５０ドットであるとする。
【０１４２】
レイアウト表示データ作成部１４２０は、作成したレイアウト表示データを、作業メモリに保存する。作成したレイアウト表示データ以外のレイアウト表示データが保存されている場合は、保存されていたデータは削除し、今回作成したレイアウト表示データのみを保存しておく。
【０１４３】
次に、最終印刷物データを作成する処理について説明する。
【０１４４】
図１０は、最終印刷物データ作成処理のフローチャートである。
【０１４５】
この処理は、レイアウト表示データ作成部１４２０から依頼を受けて、最終印刷物データ作成部１５００が行う処理である。
【０１４６】
まず、最終印刷物データ作成部１５００は、印刷情報記憶部１２００に依頼し、印刷情報を読み出す（ステップＳ１０２）。
【０１４７】
印刷情報の読み出しの依頼を受けた印刷情報記憶部１２００は、次の印刷情報をメモリから読み出して最終印刷物データ作成部１５００に渡す。次の印刷情報とは、印刷情報記憶部１２００は直前の依頼で読み出した印刷情報を記憶しており、前回読み出した印刷情報以外の印刷情報の１つをいう。印刷情報記憶部１２００は、印刷情報をメモリに保存した順に管理しており、その順番で読み出し処理を行う。従って、印刷プレビューシステムを起動した直後に読み出される印刷情報は、もっとも古い時期に保存されたものとなる。
【０１４８】
印刷情報を受け取った最終印刷物データ作成部１５００は、受け取った印刷情報からドキュメントツリーを作成し（ステップＳ１０３）、そのドキュメントツリーの全要素にｐｒｏｐｅｒｔｙとそのｖａｌｕｅを注釈として付加する（ステップＳ１０４）。具体的には、ＸＨＴＭＬ−Ｐｒｉｎｔの記述を構文解析し、論理的な構造を判断し、論理構造を持ったツリーであるドキュメントツリーを作成する。その後、そのドキュメントツリーの各要素に、例えば、ｐｒｏｐｅｒｔｙとして文字属性である文字の大きさを表す「ｆｏｎｔ−ｓｉｚｅ」と、そのｖａｌｕｅとして「１２ｐｔ」を付加していく。すなわち、ＸＨＴＭＬ−Ｐｒｉｎｔで書かれた印刷情報の内容である文章、画像等及びその配置、スタイルを一定の取り決めに従って整える処理を行う。
【０１４９】
最終印刷物データ作成部１５００は、作成したドキュメントツリーを基に、最終印刷物データを作成する（ステップＳ１０５）。最終印刷物データ作成部は、ドキュメントツリーの各要素のうち、印刷する文字列等について、そのフォントサイズ等から位置情報を求め、文字コードに対応付けて記憶しているビットマップデータ等を使用して、最終印刷物データを作成する。
【０１５０】
最終印刷物データを作成した最終印刷物データ作成部１５００は、作成したドキュメントツリーを行管理データ作成部１７００に渡し、行管理データ５４１０の作成を指示する（ステップＳ１０６）。
【０１５１】
また、最終印刷物データ作成部１５００は、作成した最終印刷物データをレイアウト表示データ作成部１４２０に渡す（ステップＳ１０７）。
【０１５２】
ここで、行管理データ作成部１７００の処理と、行管理データ記憶部１４４０の処理について説明する。
【０１５３】
ドキュメントツリーを受け取った行管理データ作成部１７００は、受け取ったドキュメントツリーを基に、行管理データ５４１０を作成する（図６参照）。具体的には、受け取ったドキュメントツリーの要素の内、文字等の印刷するものについて行管理データを作成する。例えば、1行目の先頭文字列の座標は、上マージンの値と文字サイズからＸ座標を求め、左右のマージンの値、中央揃え等の行の配置等からＹ座標を求める。さらに、ドキュメントツリー内の情報から文字属性等を読み出し、行データを作成する。この際、長い文字列の場合は、フォントサイズ等から折り返し位置を計算し、次の行の行データとして作成する。最後の行まで行データ５４４０を作成して、行管理データ５４１０が完成する。
【０１５４】
この作成の際、行管理データ作成部は、最終印刷物データのビットマップのサイズ（例：６２５×７５０ドット）と、レイアウト表示ウィンドウのサイズ（例：１５０×１５０ドット）からレイアウト表示データ（例：１２５×１５０ドットのビットマップデータ）の座標系を求め、その座標系で行管理データを作成する（図７参照）。レイアウト表示ウィンドウのサイズは、事前に画面表示部１６００から通知されているものとする。
【０１５５】
行管理データ作成部１７００は、作成した行管理データ５４１０を行管理データ記憶部１４４０に渡す。
【０１５６】
行管理データ５４１０を受け取った行管理データ記憶部１４４０は、受け取った行管理データ５４１０を作業領域に保存する。他の行管理データが保存されている場合は、削除し、最新の行管理データ５４１０のみを記憶しておく。
【０１５７】
最新の行管理データ５４１０を作業領域に保存した行管理データ記憶部１４４０は、その旨を内容表示データ作成部１４１０に通知する。内容表示データ作成部１４１０は、その通知を受けて、内容表示データを作成する処理を開始する。
【０１５８】
次に、内容表示データを作成する処理について説明する。
【０１５９】
図１１は、内容表示データ作成処理のフローチャートである。
【０１６０】
制御部１８００から、カーソル位置の情報を受け取った内容表示データ作成部１４１０は（ステップＳ２０２）、行管理データ記憶部１４４０に、カーソル位置の情報を渡し、カーソル位置の行データを要求する。
【０１６１】
ここで、カーソル位置の情報は、行と桁で表される。例でいえば、「１行目の１文字目」のように表される。カーソル位置の情報は、制御部１８００で管理している。ユーザインターフェース部１３００からカーソル移動キーを押下された旨の通知を受けた制御部１８００は、カーソル位置の行と桁の数を増減させて現在のカーソル位置の情報を求める。
【０１６２】
カーソル位置を受け取った行管理データ記憶部１４４０は、カーソル位置から行を求め、その行の行データ５４４０を返す。
【０１６３】
行データ５４４０を受け取った内容表示データ作成部１４１０は、その行データとカーソル位置情報とからカーソルの先頭に位置する文字を求める（ステップＳ２０３）。カーソルが文字列を指している場合は、文字データ５４２０の文字５４２４の中のいずれかの文字であり、カーソルが図表を指している場合は、図データ５４３０のコメント５４３３の先頭の文字となる。
【０１６４】
カーソルの先頭に位置する文字を確定した内容表示データ作成部１４１０は、その文字からはじまる文字列であって、内容表示ウィンドウ１６２０に表示できる文字列を求める（ステップＳ２０４）。表示できる文字列は、内容表示ウィンドウのサイズと表示しようとする文字のサイズで決まる。内容表示ウィンドウ１６２０のサイズは、事前に画面表示部１６００から通知されているものとする。
【０１６５】
内容表示データ作成部１４１０は、求めた文字列、すなわち文字コードで構成されている文字列データを基に、各文字コードに対応付けて記憶しているビットマップデータを使用して、ビットマップデータでできた内容表示データを作成する（ステップＳ２０５）。
【０１６６】
次に、カーソル位置の表示を加えたレイアウト表示データであるカーソル表示データを作成する処理について説明する。
【０１６７】
図１２は、カーソル表示データ作成処理のフローチャートである。
【０１６８】
内容表示データ作成部１４１０からカーソルの図形データを受け取ったレイアウト表示データ作成部１４２０（ステップＳ４０１）は、作業領域内のレイアウト表示データ上にカーソルの図形データを表示したレイアウト表示データを作成する（ステップＳ４０２）。具体的には、カーソル図形データで表される矩形の４辺部分のビットの色を赤にする。
【０１６９】
＜カーソルの移動指示＞
次に、ユーザがカーソルを移動させた場合の処理について説明する。
【０１７０】
ユーザがカーソルの移動を指示する。例えば、カーソルを上下左右に動かすカーソルキーを押下する。このカーソルキーが押下されたことを検知したユーザインターフェース部１３００は、その旨を制御部１８００に通知する。
【０１７１】
ユーザインターフェース部１３００からユーザの指示を受け取った制御部１８００は、そのユーザの指示がカーソルキーの移動指示であることを判断し（図８参照、ステップＳ３０１）、内容表示データ作成部１４１０に、カーソル位置の情報を渡し、内容表示データ作成の指示を出す（ステップＳ３０２）。
【０１７２】
ここで、制御部１８００が渡すカーソル位置の情報は、次の様に求める。制御部１８００は、現在のカーソル位置の行と桁の値を作業メモリに記憶しておいて、ユーザインターフェース部１３００から通知されたキーが上下左右のいずれのキーであるかを判断し、行と桁の値を増減して移動先のカーソル位置を求める。
【０１７３】
カーソル位置情報を受け取った内容表示データ作成部１４１０は、カーソル位置で示されている文字列、または図表の内容表示データの作成を行う（ステップＳ３０３）。
【０１７４】
内容表示データ作成の処理については、印刷プレビューシステムの起動指示での処理と同様である（図１１の説明参照）。
【０１７５】
内容表示データを作成した内容表示データ作成部１４１０は、その内容表示データに対応するレイアウト表示データ上の文字列、または、図表を囲む矩形の図形データ、すなわちカーソルの図形データを作成する。
【０１７６】
カーソルの図形データを作成する際、内容表示データに対応するレイアウト表示データが複数行にまたがる場合は、各行の該当する文字列等を囲む矩形データ、すなわち、カーソルデータも複数個作成されることになる。
【０１７７】
内容表示データ作成部１４１０は、作成したカーソルの図形データをレイアウト表示データ作成部１４２０に渡す。
【０１７８】
カーソルの図形データを受け取ったレイアウト表示データ作成部１４２０は、作業領域に保存してあるレイアウト表示データにカーソルの図形データを重ね合わせて、カーソル位置の表示を加えたレイアウト表示データを作成する（ステップＳ３０４、図１２の説明参照）。
【０１７９】
レイアウト表示データ作成部１４２０は、カーソルが表示されたレイアウト表示データを画面表示部１６００に渡し、内容表示データ作成部１４１０は、作成した内容表示データを画面表示部１６００に渡す。
【０１８０】
レイアウト表示データと内容表示データとを受け取った画面表示部１６００は、レイアウト表示データをレイアウト表示ウィンドウに、内容表示データは内容表示ウィンドウにそれぞれ表示する（ステップＳ３０５）。
【０１８１】
これで、カーソルが移動し、内容表示ウィンドウの表示が替わったプレビュー画面が表示される。
【０１８２】
＜次の印刷情報の表示指示＞
次に、ユーザが次の印刷情報の表示を指示した場合の処理について説明する。
【０１８３】
ユーザが次の印刷情報の表示を指示する。例えば、プレビュー画面が表示されている時に、次頁表示キーを押下する。この次頁表示キーが押下されたことを検知したユーザインターフェース部１３００は、その旨を制御部１８００に通知する。
【０１８４】
ユーザインターフェース部１３００からユーザの指示を受け取った制御部１８００は、そのユーザの指示が次の印刷情報の表示指示であることを判断し（図８参照、ステップＳ３０１）、レイアウト表示データ作成部１４２０に、印刷情報を表示する旨の指示を行う（ステップＳ３０６）。その指示と同時に、制御部１８００は、内容表示データ作成部１４１０にも内容表示データを作成する指示を行う。
【０１８５】
その後の処理は、印刷プレビューシステムの起動指示の処理と同様である。
【０１８６】
次の印刷情報表示指示の処理と印刷プレビューシステムの起動指示の処理とは、現在表示している印刷情報がどの印刷情報であるかを記憶している印刷情報記憶部１２００が、どの印刷情報を読み出すべきか否かを判断する点が異なる。印刷プレビューシステムの起動指示の場合は、最初に記憶された印刷情報を読み出し、次頁表示指示の場合は、現在表示している印刷情報の次に受信された印刷情報を読み出す。
【０１８７】
＜印刷情報の削除指示＞
次に、ユーザが表示中の印刷情報の削除を指示した場合の処理について説明する。
【０１８８】
ユーザが現在表示中の印刷情報の削除を指示する。例えば、プレビュー画面は表示されている時に、削除キーを押下する。この削除キーが押下されたことを検知したユーザインターフェース部１３００は、その旨を制御部１８００に通知する。
【０１８９】
ユーザインターフェース部１３００からユーザの指示を受け取った制御部１８００は、そのユーザの指示が削除指示であることを判断し（図８参照、ステップＳ３０１）、印刷情報記憶部１２００に削除する旨の指示を行う（ステップＳ３１０）。
【０１９０】
削除する旨の指示を受け取った印刷情報記憶部１２００は、現在表示中の印刷情報の削除処理を行う（ステップＳ３１１）。具体的には、管理テーブルから削除する印刷情報の情報を削除し、印刷情報の記憶されていたメモリを開放する。
【０１９１】
＜印刷情報の印刷指示＞
次に、ユーザが表示中の印刷情報の印刷を指示した場合の処理について説明する。
【０１９２】
ユーザが現在表示中の印刷情報の印刷を指示する。例えば、プレビュー画面が表示されている時に、印刷キーを押下する。この印刷キーが押下されたことを検知したユーザインターフェース部１３００は、その旨を制御部１８００に通知する。
【０１９３】
ユーザインターフェース部１３００からユーザの指示を受け取った制御部１８００は、そのユーザの指示が印刷指示であることを判断し（図８参照、ステップＳ３０１）、最終印刷物データ作成部１５００に印刷する旨の指示を行う（ステップＳ３１２）。
【０１９４】
印刷する旨の指示を受け取った最終印刷物データ作成部１５００は、現在表示中の印刷情報の最終印刷物データ、すなわち作業領域に保持している最終印刷物データを印刷装置２０００に送信する（ステップＳ３１３）。
【０１９５】
最終印刷物データを受信した印刷装置２０００は、受信した最終印刷物データを印刷する。
【０１９６】
＜変形例１＞
実施形態では、最終印刷物データ作成部１５００は印刷プレビューシステム１０００に含まれており、携帯電話機８０００に搭載されているが、最終印刷物データ作成部１５００を印刷装置２０００に搭載してもよい。
【０１９７】
最終印刷物データ作成部１５００は、印刷情報１２１０から最終印刷物データを作成し、保持している。従って、最終印刷物データ作成部１５００を携帯電話機に搭載しないことで、携帯電話機のＣＰＵへの負荷を軽減し、携帯電話機の限られたメモリを占有することがなくなるという利点がある。
【０１９８】
図１３は、最終印刷物データ作成部１５００を印刷装置３０００に搭載した場合の構成図である。
【０１９９】
印刷装置３０００は、最終印刷物データ作成部１５００を有している。
【０２００】
印刷プレビューシステム４０００は、実施形態の印刷プレビューシステム１０００（図３）から、最終印刷物データ作成部１５００を除いたものである。
【０２０１】
制御部１８１０の機能を除き、他の処理部、すなわち印刷情報受信部１１００等の処理は実施形態のものと同様である。
【０２０２】
制御部１８１０は、ユーザの指示を解析し、各処理部に指示を送る機能以外に、印刷装置３０００内にある最終印刷物データ作成部１５００とのデータのやり取りを行う機能を有する。
【０２０３】
尚、説明の便宜上、印刷装置上の処理部以外を印刷プレビューシステムとしているが、印刷装置上の処理部も本発明の印刷プレビューシステムの一部である。以下の変形例でも同様である。
【０２０４】
＜変形例２＞
実施形態では携帯電話機８０００に搭載されている画面データ作成部１４００と、最終印刷物データ作成部１５００と、行管理データ作成部１７００を印刷装置２０００に搭載してもよい。
【０２０５】
このことで、携帯電話機には印刷情報のみを記憶しておき、印刷装置から送られてくるカーソル表示済みのレイアウト表示データを表示すればよいことになる。
【０２０６】
従って、最終印刷物データと、行管理データと、レイアウト表示データを携帯電話機のメモリに記憶しておく必要がなく、また、携帯電話機のＣＰＵを使用して、最終印刷物データと、行管理データと、レイアウト表示データと、カーソルデータを作成する必要がなくなり、携帯電話機のＣＰＵへの負荷を大幅に軽減することができ、メモリを圧迫することがなくなる。
【０２０７】
図１４は、画面データ作成部等を印刷装置３０００に搭載した場合の構成図である。
【０２０８】
印刷装置３１００は、画面データ作成部１４００と、行管理データ作成部１７００と、最終印刷物データ作成部１５００とを有している。
【０２０９】
印刷プレビューシステム４１００は、印刷情報受信部１１００と、印刷情報記憶部１２００と、ユーザインターフェース部１３００と、画面表示部１６００と、制御部１８２０で構成されている。制御部１８２０以外の処理部の機能は、実施形態のものと同様である。
【０２１０】
制御部１８２０は、ユーザの指示を解析し、各処理部に指示を送る機能以外に、印刷装置３０００内にある各作成部とのデータのやり取りを行う機能を有する。
【０２１１】
図１５は、変形例２の印刷プレビューシステムの処理のフローチャートである。
【０２１２】
実施形態の印刷プレビューシステムの処理の流れとほとんど同じであるが、印刷装置に携帯電話のディスプレイのサイズを送信する点と、データのやり取りを制御部１８２０を介して行う点が異なる。
【０２１３】
画面データ作成部１４００等が印刷装置に搭載されている場合の処理の流れは、次のようになる。
【０２１４】
まず、ユーザが携帯電話機８０００を操作して、印刷プレビューシステムの起動を指示すると（ステップＳ６０１）、この指示を検知したユーザインターフェース部１３００は、その旨を制御部１８２０に通知する。
【０２１５】
印刷プレビューシステムの起動指示を受けた制御部１８２０は、携帯電話機のディスプレイ１６１０のサイズを印刷装置３１００のレイアウト表示データ作成部１４２０に送信に送信する（ステップＳ６０２）。
【０２１６】
制御部１８２０は、ディスプレイのサイズを送信すると同時に、印刷装置のレイアウト表示データ作成部１４２０には、レイアウト表示データの作成を指示し、内容表示データ作成部１４１０には、カーソル位置の情報を渡し、内容表示データの作成を指示する。
【０２１７】
その後印刷装置にて、最終印刷物データと、レイアウト表示データと、内容表示データを作成する（ステップＳ６０３）。印刷装置での最終印刷物データ作成処理と、レイアウト表示データ作成処理と、内容表示データ作成処理は、実施形態と同様である（図９、図１０、図１１参照）。データのやり取りを制御部１８２０を介して行う点が異なる。
【０２１８】
レイアウト表示データ作成部１４２０は、レイアウト表示データにカーソルを表示したレイアウト表示データを作成し、携帯電話機の画面表示部１６００に送信する。また、内容表示データ作成部１４１０は、作成した内容表示データを携帯電話機の画面表示部に送信する（ステップＳ６０４）。
【０２１９】
レイアウト表示データと内容表示データを受信した画面表示部１６００は、携帯電話機のディスプレイに印刷プレビュー画面を表示する（ステップＳ６０５）。
【０２２０】
ユーザが携帯電話機でカーソル移動の指示を出した場合は（ステップＳ６０６）、カーソル位置の情報を印刷装置の内容表示データ作成部１４１０に送信し、内容表示データの作成指示を行う（ステップＳ６０７）。
【０２２１】
その後の処理は、実施形態と同様である。すなわち、内容表示データ作成部１４１０で内容表示データを作成し、レイアウト表示データ作成部１４２０でカーソル位置の表示されたレイアウト表示データを作成し、それぞれのデータを携帯電話機の画面表示部１６００に送信する（ステップＳ６０８）。
【０２２２】
レイアウト表示データと内容表示データを受信した画面表示部１６００は、携帯電話機のディスプレイに移動後のカーソルが表示された印刷プレビュー画面を表示する（ステップＳ６０９）。
【０２２３】
＜変形例３＞
変形例２では、印刷プレビュー画面を、携帯電話機８０００のディスプレイ１６１０に表示することとしているが、印刷装置のディスプレイに表示することとしてもよい。この場合、ユーザの操作は携帯電話機で行う。
【０２２４】
このことにより、レイアウト表示データと内容表示データとを、携帯電話機と印刷装置の間でやり取りする必要がなくなり、携帯電話機のＣＰＵに対する負荷が軽減される。また、レイアウト表示データと内容表示データとを一旦作業メモリに置く必要がなく、メモリ利用の効率化を図ることが出来るようになる。
【０２２５】
図１６は、印刷装置のディスプレイに印刷プレビュー画面を表示する場合の構成図である。
【０２２６】
印刷装置３２００は、画面データ作成部１４００と、行管理データ作成部１７００と、最終印刷物データ作成部１５００と、画面表示部１６００とで構成される。
【０２２７】
携帯電話機に搭載される印刷プレビューシステム４２００は、ユーザインターフェース部１３００と、印刷情報受信部１１００と、印刷情報記憶部１２００と、制御部１８３０とで構成される。
【０２２８】
本変形例３の処理は、画面表示部１６００へのデータの送信を、制御部１８３０を介さずに直接渡す点を除いて、変形例２の処理の流れと同じである。
【０２２９】
＜変形例４＞
実施形態では、プレビュー画面は、内容表示ウィンドウ１６２０と、レイアウト表示ウィンドウ１６３０の２つのウィンドウで構成されているが、印刷物の詳細情報等を表示する３つ目のウィンドウ、詳細情報表示ウィンドウ１６６０を表示してもよい。
【０２３０】
図１７は、３つのウィンドウから成るプレビュー画面の構成と内容例である。
【０２３１】
例では、カーソル１６４０は写真を指しており、その写真の説明が内容表示ウィンドウ１６２０に表示されている。詳細情報表示ウィンドウ１６６０には、レイアウト表示ウィンドウに表示されている印刷物を実際に印刷した場合の印刷形態に関する情報、例えば、印刷物の大きさはＡ４版であり、マージンは上が５ｍｍ等であるとの情報が表示されている。
【０２３２】
この場合、詳細情報を印刷情報から取り出し表示する機能が必要となる。この機能を実現する方法として、例えば、実施形態の画面データ作成部１４００内に詳細情報を作成する詳細表示データ作成部や詳細情報を記憶しておく詳細データ記憶部を持ち、画面表示部１６００に表示を依頼する方法がある。この場合、画面表示部は、第３のウィンドウである詳細表示ウィンドウ１６６０に詳細情報を表示する機能を有する必要はある。
【０２３３】
尚、例では、印刷物の大きさ等の印刷形態に関する情報を表示しているが、その他、内容表示ウィンドウ１６２０に表示している文字を印刷した場合の、文字フォント、サイズ、色等の文字属性に関する情報を表示してもよい。また、印刷物が写真等の図表を有している場合に、カーソルで指示している図表についての情報、例えばデータサイズ等の詳細情報を表示してもよい。さらに、カーソルで図表を指示していなくても、印刷物に表示されている図表の一覧等の情報を表示してもよい。
【０２３４】
＜変形例５＞
実施形態では、カーソルの移動は携帯電話機のカーソル移動キーを押下することで行うこととしているが、スタイラスペン等でプレビュー画面の座標を入力することでカーソル移動を行ってもよい。
【０２３５】
このことにより、スタイラスペンで操作するＰＤＡ（Personal Degital Assistants）等でも、本印刷プレビューシステムを使用することが出来るようになる。
【０２３６】
図１８は、座標値で行を管理する行管理データの構成、及びその内容例である。
【０２３７】
図６で示した行管理データとの違いは、各行のＹ方向の幅を示す座標５４１３を有している点である。スタイラスペンで入力されたウィンドウ座標のＹ座標の値が、座標５４１３の範囲にある場合に、その行番号５４１１が行数となる。
【０２３８】
また、桁数は、行データ５４４０の文字データ５４２０文字列位置５４２１や文字属性５４２３のサイズ、ピッチ等により求める。
【０２３９】
＜補足＞
以上、本発明に係る印刷プレビューシステムについて実施形態に基づいて説明したが、この印刷プレビューシステムを部分的に変形することもでき、本発明は上述の実施形態に限られないことは勿論である。即ち、
（１）実施形態では、行桁の指定はカーソルでするものとなっているが、行番号、ウィンドウ座標値等を入力して行桁を指定してもよい。
【０２４０】
例えば、ユーザがテンキーから「５」「enter」と入力すると、５行目の内容が内容表示ウィンドウに表示されるようにである。
【０２４１】
この場合、内容表示ウィンドウに表示させたい行を直接指定できるので、カーソルを移動させる手間がいらず、レイアウトイメージの中の読みたい行をすぐに読むことができるようになる。
【０２４２】
また、例えば、ユーザが「Z」キーを押下すると、表示している図表の説明が内容表示ウィンドウに表示され、もう一度「Z」キーを押下すると、次の図表の説明が表示されるようにである。
【０２４３】
この場合、内容表示ウィンドウに表示させたい図表を、カーソルを移動させることなく指定できるので、レイアウトイメージの中の図表をすぐに探すことができるようになる。
（２）実施形態では、印刷情報はＸＨＴＭＬ−Ｐｒｉｎｔで記述されていることとなっているが、他のデータ形式で記述されていてもよい。
【０２４４】
印刷情報は、印刷のイメージ、すなわち表示される文字列、文字のフォント、文字列の配置等を定義する情報であればよく、その印刷イメージを定義する情報を解釈して印刷イメージを形成する機構があれば、本発明の印刷プレビューシステムは実施できるからである。
（３）実施形態では、行と文字列の関係を、ウィンドウの座標値で関係付けた行管理データ（図６）を作成して管理することとしているが、他の管理方法、例えば、レイアウトイメージの行と印刷情報の行を直接対応付けて管理することとしてもよい。
（４）実施形態では、行と文字列の関係をレイアウト表示ウィンドウの座標系の座標で対応付けているが、最終印刷物の座標系の座標と対応付けることとしてもよい。この場合、得られたレイアウト表示ウィンドウの座標値から行を求める為に、レイアウト表示ウィンドウと最終印刷物の大きさの比率を基に計算を行えばよい。
（５）実施形態では、印刷情報記憶部１２００の印刷情報の読み出しは、メモリへの保存時期が古い順に行うこととしているが、新しい順などその他の順番で読み出すこととしてもよい。
（６）実施形態では、内容表示ウィンドウに表示する文字のフォント、サイズ、色は固定としているが、印刷する場合と同じフォント、サイズ、色等でもよい。
【０２４５】
文字のフォント等を固定にする場合は、複数のフォント等を携帯電話機内に持つ必要がないという利点がある。一方、印刷する場合と同じフォント等で表示する場合は、印刷時のイメージが理解しやすいという利点がある。
（７）実施形態では、カーソルは文字列や図表を囲む矩形としているが、カーソルで指示されている文字列等を、他の部分と区別できる表示であれば、なんでもよい。例えば、文字列の背景色を変える、下線を表示する、文字の色を変える、文字の線幅を変える、図表の色調を変える等、カーソルで指示されている文字列や図表を、あらかじめ定められた形態で表示する。
（８）実施形態では、レイアウト表示データは最終印刷物データを縮小したイメージデータであることとしているが、レイアウト表示データは印刷情報をもとに作成されたマークアップ言語等を一定ルールで解釈し作成されたものであってもよい。
（９）実施形態では、レイアウト表示ウィンドウには最終印刷物の全体が表示される様に、最終印刷物データを縮小してレイアウト表示データを作成することとしているが、最終印刷物のレイアウトが認識できる印刷物の部分がレイアウト表示ウィンドウに表示されるようなレイアウト表示データを作成することとしてもよい。
（１０）実施形態で示した印刷プレビューシステムの各機能を実現させる為の各制御処理（図３等参照）をＣＰＵに実行させる為のプログラムを、記録媒体に記録し又は各種通信路等を介して、流通させ頒布することもできる。このような記録媒体には、ＩＣカード、光ディスク、フレキシブルディスク、ＲＯＭ、フラッシュメモリ等がある。流通、頒布されたプログラムは、機器におけるＣＰＵで読み取り可能なメモリ等に格納されることにより利用に供され、そのＣＰＵがそのプログラムを実行することにより実施形態で示した印刷プレビューシステムの各機能が実現される。
（１１）実施形態では、地上波デジタル放送におけるデータ放送により送信される印刷情報を携帯電話機で受信した場合を記載しているが、地上波デジタル放送だけでなく、衛星放送やブロードバンド放送におけるデータ放送であってもよい。また、データ放送等の情報の送付者は放送局、ブロードバンド放送の送付者、ネットワークに接続されるサーバ等であってもよい。データ放送のコンテンツはリアルタイムに放送されるものであってもよいし、一度サーバ等に蓄積された情報の送出であってもよい。また、受信側としては、上記携帯電話機に限定されるものではなく、画面サイズの小さい、あるいは解像度の低い携帯電話機、携帯端末装置、通信機能を有する家庭用電化製品またはパーソナルコンピュータ等で受信した場合であってもよい。
（１２）実施形態では、印刷装置は最終印刷物データを受信してそのまま印刷することとしているが、ＸＨＴＭＬ−Ｐｒｉｎｔ等の印刷情報と、ＪＰＥＧ（Joint Photographic Coding Experts Group）方式等の画像データ等を受信し、印刷装置において解釈して印刷することとしてもよい。
（１３）変形例３では、印刷プレビュー画面を、印刷装置のディスプレイに表示し、ユーザの操作は携帯電話機で行うこととしているが、ユーザの操作も印刷装置で行うこととしてもよい。これにより、ユーザインターフェース部の操作ボタン等を携帯端末のものよりも大きくすること等が可能となり、操作性が向上する。
（１４）実施形態では、表示する印刷情報を特定する手段として、次頁表示キーを押下して、順次印刷情報をプレビュー表示することとしているが、印刷情報を順次プレビュー表示することなしに、ユーザがプレビュー表示させたい印刷情報を直接指定できることとしてもよい。
【０２４６】
例えば、印刷プレビューシステムが起動されたときに、保存してある印刷情報の一覧が表示され、その中からユーザがカーソル等で選択するようにである。また、印刷情報が表示されているときに、一覧キー等を押下すると、保存してある印刷情報の一覧が表示されるようにである。
【０２４７】
これにより、ユーザは目的の印刷情報を指定して表示させることができるようになり、目的の印刷情報を表示させるまでの時間を短縮することが出来るようになる。
【０２４８】
この機能を実施する場合は、例えば、実施形態の印刷情報記憶部１２００で印刷情報の一覧を作成・管理しておいて、ユーザの操作に応じて制御部１８００の指示で一覧を表示する。尚、印刷情報の一覧には、印刷物の最初の文字列を表示する等、ユーザが印刷情報を識別できるものであればよい。
（１５）実施形態では、印刷プレビューには横書きの印刷物が表示されることとしているが、縦書きの印刷物であってもよい。
【０２４９】
この場合、印刷プレビュー画面は、縦長のウィンドウで構成され、また、カーソル位置の計算等は、縦書きの印刷物に合わせて行われる。
（１６）実施形態では、レイアウトイメージの段組は1段であるが、複数の段組であってもよい。レイアウトイメージの段組は、印刷情報に基づいて決定される。複数段組の場合、カーソルの表示は行管理データの構造、すなわち、１行をどのように解釈するかによって異なる。
【０２５０】
図１９は、２段組みの場合のカーソルの表示例である。図１９（ａ）は、２段目を１段目の続きとして行データを作成した場合であり、図１９（ｂ）は、１段目と２段目の各行を続けて１行として、行データを作成した場合である。例えば、図１９（ａ）の場合、右カーソルキーの押下を続けると、カーソルは１段目の１行目、２行目と移動し、１段目の最下行まで移動した後、２段目の１行目に移る。一方図１９（ｂ）の場合、右カーソルキーの押下を続けると、１段目の１行目から２段目の１行目に移り、１段目の２行目、２段目の２行目と移動していく。
【産業上の利用可能性】
【０２５１】
本発明に係る印刷プレビューシステムは、プレビュー表示している印刷物の全体像とその内容を簡便に知ることができるという効果を有し、表示されている印刷物を印刷するか否かの判断を容易且つ迅速に行う必要がある場合等に有用である。
【図面の簡単な説明】
【０２５２】
【図１】プレビュー画面の構成および表示例の図である。
【図２】プレビュー画面の表示例の図である。
【図３】実施形態に係る印刷プレビューシステムの機能ブロック図である。
【図４】データ放送で受信する印刷情報の内容例を示す。
【図５】最終印刷物のイメージの例である。
【図６】行管理データの構成、及びその内容例である。
【図７】レイアウト表示ウィンドウ１６３０の座標系とその例を表す図である。
【図８】印刷プレビューシステムの処理を示すフローチャートである。
【図９】レイアウト表示データ作成処理のフローチャートである。
【図１０】最終印刷物データ作成処理のフローチャートである。
【図１１】内容表示データ作成処理のフローチャートである。
【図１２】カーソル表示データ作成処理のフローチャートである。
【図１３】最終印刷物データ作成部１５００を印刷装置３０００に搭載した場合の構成図である。
【図１４】画面データ作成部等を印刷装置３０００に搭載した場合の構成図である。
【図１５】変形例２の印刷プレビューシステムの処理のフローチャートである。
【図１６】印刷装置のディスプレイに印刷プレビュー画面を表示する場合の構成図である。
【図１７】３つのウィンドウから成るプレビュー画面の構成と内容例である。
【図１８】座標値で行を管理する行管理データの構成、及びその内容例である。
【図１９】２段組みの場合のカーソルの表示例である。図１９（ａ）は、２段目を１段目の続きとして行データを作成した場合であり、図１９（ｂ）は、１段目と２段目の各行を続けて１行として、行データを作成した場合である。
【符号の説明】
【０２５３】
１０００  ４０００  ４１００  ４２００  印刷プレビューシステム
１１００    印刷情報受信部
１２００    印刷情報記憶部
１２１０  １２２０    印刷情報
１３００    ユーザインターフェース部
１４００    画面データ作成部
１４１０    内容表示データ作成部
１４２０    レイアウト表示データ作成部
１４４０    行管理データ記憶部
１５００    最終印刷物データ作成部
１５１０    印刷イメージ
１６００    画面表示部
１６１０    ディスプレイ
１６２０    内容表示ウィンドウ
１６３０    レイアウト表示ウィンドウ
１６４０    カーソル
１６５０    写真
１６６０    詳細情報表示ウィンドウ
１７００    行管理データ作成部
１８００  １８１０  １８２０  １８３０    制御部
２０００  ３０００  ３１００  ３２００    印刷装置
５４１０    行管理データ
５４２０    文字データ
５４３０    図データ
５４４０    行データ
８０００    携帯電話機
９０００    放送局
【図１】
2005044138.tif 000003
【図２】
2005044138.tif 000004
【図３】
2005044138.tif 000005
【図４】
2005044138.tif 000006
【図５】
2005044138.tif 000007
【図６】
2005044138.tif 000008
【図７】
2005044138.tif 000009
【図８】
2005044138.tif 000010
【図９】
2005044138.tif 000011
【図１０】
2005044138.tif 000012
【図１１】
2005044138.tif 000013
【図１２】
2005044138.tif 000014
【図１３】
2005044138.tif 000015
【図１４】
2005044138.tif 000016
【図１５】
2005044138.tif 000017
【図１６】
2005044138.tif 000018
【図１７】
2005044138.tif 000019
【図１８】
2005044138.tif 000020
【図１９】
2005044138.tif 000021